(57)【要約】      （修正有）【課題】高い直毛矯正力を有し且つ操作性を向上させた電気ヘアアイロンを提供する。【解決手段】電気ヘアアイロンは、ハンドル１と櫛歯部２とを有している。櫛歯部２には、加熱部と、当該櫛歯部の外に向けて伸びる櫛歯とが設けられている。櫛歯は、上櫛歯と下櫛歯とを有している。上櫛歯は、上固定プレートと複数の上加熱部とを備えている。下櫛歯は、下固定プレートと複数の下加熱部とを備えている。下固定プレートの隣り合う下加熱部間には複数の貫通穴が形成されている。上加熱部が貫通穴に挿入されると 上櫛歯と下櫛歯とが等間隔で整列し、上加熱部と下加熱部とが交互に配列することとなる。隣り合う櫛歯の間隔は０．２５ｍｍ乃至１．５ｍｍである。加熱部は、上固定プレート付近に設けられている。電気ヘアアイロンは、ヘアスタイリングの分野において好適に用いられる。【選択図】図１
0003205811.tif 000002
【実用新案登録請求の範囲】
【請求項１】
ハンドルと櫛歯部とを含む電気ヘアアイロンであって、
前記櫛歯部には、発熱部と、前記櫛歯部から第１方向に伸びる櫛歯とが設けられており、
前記櫛歯は、前記第１方向に沿って見た場合に、波形状の部位を有していることを特徴とする、
電気ヘアアイロン。
【請求項２】
請求項１に記載の電気ヘアアイロンであって
前記櫛歯部は、前記上加熱部と前記下加熱部とを部分的に覆う櫛歯スリーブを備えており、
前記櫛歯スリーブには火傷防止部が設けられている、
電気ヘアアイロン。
【請求項３】
請求項１又は請求項２に記載の電気ヘアアイロンであって、
前記上櫛歯は、上固定プレートと当該上固定プレートから伸びる複数の上加熱部を有しており、
前記下櫛歯は、下固定プレートと当該下固定プレートから伸びる複数の下加熱部を有しており、
前記下固定プレートの隣り合う下加熱部間には複数の貫通穴が形成されており、
前記上加熱部が前記貫通穴に挿入されると前記上加熱部と前記下加熱部とが等間隔で交互に配列することを特徴とする、
電気ヘアアイロン。
【請求項４】
請求項１乃至請求項３のいずれかに記載の電気ヘアアイロンであって、
前記ハンドルは、フロントカバーと、リアカバーと、導線部とを備えており、
前記フロントカバーにはプリント基板が設けられており、発光部及び操作キーが固定されており、
前記リアカバーには、前記発光部及び前記操作キーと対応する位置に導光部及び操作キー開口部とが設けられており、
前記ハンドルと、フロントカバーと、リアカバーと、導線部とは、固定リングによって固定されることを特徴とする、
電気ヘアアイロン。
【請求項５】
請求項４に記載の電気ヘアアイロンであって、
前記発熱部は、発熱領域を有する発熱板と、当該発熱板を固定する発熱板固定部とを含み、
前記発熱板の接続部は、前記プリント基板に接続されており、
前記発熱領域は、前記上櫛歯と接していることを特徴とする、
電気ヘアアイロン。
【請求項６】
請求項４又は請求項５に記載の電気ヘアアイロンであって、
前記フロントカバーは、滑り止めゴム部と、当該滑り止めゴム部の上から装着されるフロント化粧カバーを更に備えていることを特徴とする、
電気ヘアアイロン。
【請求項７】
請求項４乃至請求項６のいずれかに記載の電気ヘアアイロンであって、
前記リアカバーは、リア化粧カバーを備えており、
前記リアカ化粧カバーには、前記発光部及び前記操作キーと対応する位置に開口部がそれぞれ設けられていることを特徴とする、
電気ヘアアイロン。
【請求項８】
請求項１乃至請求項７のいずれかに記載の電気ヘアアイロンであって。
前記上加熱部と前記下加熱部のそれぞれは、その横断面において、歯底から歯先にかけてその面積が次第に減少することを特徴とする、
電気ヘアアイロン。
【請求項９】
請求項１乃至請求項８のいずれかに記載の電気ヘアアイロンであって、
前記上櫛歯と前記下櫛歯とを重ね合わせた状態において、隣り合う前記上加熱部と前記下加熱部との間隔は、０．２５〜１．５ｍｍであることを特徴とする、
電気ヘアアイロン。
【請求項１０】
請求項２乃至請求項９のいずれかに記載の電気ヘアアイロンであって、
前記櫛歯スリーブの前後方向における両端にバッフル板が設けられていることを特徴とする、
電気ヘアアイロン。
【考案の詳細な説明】
【技術分野】
【０００１】
本考案は、本考案は電気ヘアブラシに関し、特に波型形状の櫛歯を備え電気による発熱によって毛髪をストレート状にする電気ヘアブラシに関する。
【背景技術】
【０００２】
ヘアケア業界においては、毛髪を直毛（所謂ストレートヘア）にする需要が存在し、各種の機器が提供されている。一般的な機器（ヘアアイロン）は、少なくとも一方が発熱するハサミ状の金属対によって毛髪を挟み込むものが知られている。
【０００３】
しかし、このようなヘアアイロンは単に毛髪をストレートにするだけであり、ヘアアイロンを施したのちに、櫛によって毛髪を梳かす（整える）必要がある。
【０００４】
例えば、実際のヘアアイロン操作の際には、操作者（美容師、ユーザ等）は片手でヘアアイロンを操作して毛髪をストレートにしつつ、（ストレートになった毛髪を）他方の手で持っている櫛で梳かす作業を行わなければならない。このような作業は、不便であり、非効率的である。
【考案の概要】
【考案が解決しようとする課題】
【０００５】
本考案は、上述した問題を解決し、且つ、高い直毛矯正力を有し且つ操作性を向上させた電気ヘアアイロンを提供する。
【課題を解決するための手段】
【０００６】
本考案によれば、第１の電気ヘアアイロンとして、
ハンドルと櫛歯部とを含む電気ヘアアイロンであって、
前記櫛歯部には、発熱部と、前記櫛歯部から第１方向に伸びる櫛歯とが設けられており、
前記櫛歯は、前記第１方向に沿って見た場合に、波形状の部位を有していることを特徴とする、
電気ヘアアイロンが得られる。
【０００７】
本考案によれば、第２の電気ヘアアイロンとして、第１に記載の電気ヘアアイロンであって
前記櫛歯部は、前記上加熱部と前記下加熱部とを部分的に覆う櫛歯スリーブを備えており、
前記櫛歯スリーブには火傷防止部が設けられている、
電気ヘアアイロンが得られる。
【０００８】
本考案によれば、第３の電気ヘアアイロンとして、第１又は第２に記載の電気ヘアアイロンであって、
前記上櫛歯は、上固定プレートと当該上固定プレートから伸びる複数の上加熱部を有しており、
前記下櫛歯は、下固定プレートと当該下固定プレートから伸びる複数の下加熱部を有しており、
前記下固定プレートの隣り合う下加熱部間には複数の貫通穴が形成されており、
前記上加熱部が前記貫通穴に挿入されると前記上加熱部と前記下加熱部とが等間隔で交互に配列することを特徴とする、
電気ヘアアイロンが得られる。
【０００９】
本考案によれば、第４の電気ヘアアイロンとして、第１乃至第３のいずれかに記載の電気ヘアアイロンであって、
前記ハンドルは、フロントカバーと、リアカバーと、導線部とを備えており、
前記フロントカバーにはプリント基板が設けられており、発光部及び操作キーが固定されており、
前記リアカバーには、前記発光部及び前記操作キーと対応する位置に導光部及び操作キー開口部とが設けられており、
前記ハンドルと、フロントカバーと、リアカバーと、導線部とは、固定リングによって固定されることを特徴とする、
電気ヘアアイロンが得られる。
【００１０】
本考案によれば、第５の電気ヘアアイロンとして、第４に記載の電気ヘアアイロンであって、
前記発熱部は、発熱領域を有する発熱板と、当該発熱板を固定する発熱板固定部とを含み、
前記発熱板の接続部は、前記プリント基板に接続されており、
前記発熱領域は、前記上櫛歯と接していることを特徴とする、
電気ヘアアイロンが得られる。
【００１１】
本考案によれば、第６の電気ヘアアイロンとして、第４又は第５に記載の電気ヘアアイロンであって、
前記フロントカバーは、滑り止めゴム部と、当該滑り止めゴム部の上から装着されるフロント化粧カバーを更に備えていることを特徴とする、
電気ヘアアイロンが得られる。
【００１２】
本考案によれば、第７の電気ヘアアイロンとして、第４乃至第６のいずれかに記載の電気ヘアアイロンであって、
前記リアカバーは、リア化粧カバーを備えており、
前記リアカ化粧カバーには、前記発光部及び前記操作キーと対応する位置に開口部がそれぞれ設けられていることを特徴とする、
電気ヘアアイロンが得られる。
【００１３】
本考案によれば、第８の電気ヘアアイロンとして、第１乃至第７のいずれかに記載の電気ヘアアイロンであって。
前記上加熱部と前記下加熱部のそれぞれは、その横断面において、歯底から歯先にかけてその面積が次第に減少することを特徴とする、
電気ヘアアイロンが得られる。
【００１４】
本考案によれば、第９の電気ヘアアイロンとして、第１乃至第８のいずれかに記載の電気ヘアアイロンであって、
前記上櫛歯と前記下櫛歯とを重ね合わせた状態において、隣り合う前記上加熱部と前記下加熱部との間隔は、０．２５〜１．５ｍｍであることを特徴とする、
電気ヘアアイロンが得られる。
【００１５】
本考案によれば、第１０の電気ヘアアイロンとして、第２乃至第９のいずれかに記載の電気ヘアアイロンであって、
前記櫛歯スリーブの前後方向における両端にバッフル板が設けられていることを特徴とする、
電気ヘアアイロンが得られる。
【考案の効果】
【００１６】
本考案は、上述した問題を解決し、且つ、高い直毛矯正力を有し且つ操作性を向上させた電気ヘアアイロンを提供できる。
【図面の簡単な説明】
【００１７】
【図１】図１は本考案の構造概略図である。
【図２】図２は本考案の分解図である。
【図３】図３は櫛歯部の構造概略図である。
【図４】図４は上櫛歯の底面図である。
【図５】図５は本実施の形態による実施品の参考斜視図である。
【図６】図６は本実施の形態による実施品の第１の方向に直行する方向に沿って見た参考図である。
【図７】図７は本実施の形態による実施品の第１の方向に沿って見た参考図である。
【考案を実施するための形態】
【００１８】
図１乃至図４に示されるように、本発明の実施の形態による電気ヘアアイロン（以下単に「ヘアアイロン」と呼ぶ）は、櫛状（ブラシ状）の形状を有しており、その用途は、毛髪を梳かしながら熱を加えることにより毛髪を直毛状に（ストレートに）施術するものである。
【００１９】
図１に示されるように、ヘアアイロンは、ハンドル１と櫛歯部２とを含んでいる。櫛歯部２には、発熱部が内蔵されており、櫛歯部２から第１方向（図の下方向）に伸びる複数の櫛歯が設けられている。図４から理解されるように、本実施の形態による櫛歯部は、上櫛歯３と下櫛歯４とを重ね合わせることにより一体形成されている。上櫛歯３と下櫛歯４とは、第１方向に沿って見た場合（即ち、櫛歯の先端側から見た場合）波形状を有している。この波形状により、ヘアアイロンを用いて毛髪を梳かした際に毛髪に対して熱と共に一定の引張力が加わるため、毛髪をまっすぐにすることができる（詳しい構造については後述する。）。
【００２０】
図２乃至図４に示されるように、上櫛歯３は、上固定プレート１０と当該上固定プレートから伸びる複数の上加熱部５を有している。下櫛歯４は、下固定プレート１１と当該下固定プレートから伸びる複数の下加熱部６を有している。下固定プレート１１の隣り合う下加熱部６間には複数の貫通穴が形成されており、上加熱部５を当該貫通穴に挿入することにより上加熱部５と下加熱部６とが等間隔で交互に配列する。上加熱部５と下加熱部６のそれぞれは、第１方向と直交する方向に沿って見た場合に、歯底から歯先にかけてその面積が次第に減少する形状（略Ｕ字形状）を有している。
【００２１】
図４に示されるように、上加熱部５と下加熱部６とは、第１方向に沿って見た場合に波形状を有している。より詳しくは、上加熱部５（又は下加熱部６）の夫々は、前記第１方向と直行する方向（図４の左右方向）において、隣接する上加熱部５（又は下加熱部６）の互いに対応する側面に凹凸を有している。かかる構造により、上加熱部５と下加熱部６とが重なった状態においては、上加熱部５と下加熱部６との間には、第１方向から見た場合に波形状（Ｓ字形状）の隙間（毛髪が通るスペース）ができることとなる。本実施の形態による当該隙間は、０．２５〜１．５ｍｍである。このような隙間にすることによって毛髪に最適な引張力を提供することができ、張発の効果と効率を高めることができる。
【００２２】
櫛歯部２は、上加熱部５と下加熱部６を部分的に覆う櫛歯スリーブ９を備えている。櫛歯スリーブ９は、特に、上加熱部５と下加熱部６の先端を覆うことにより、ヘアアイロン使用時に上加熱部５と下加熱部６とが直接頭皮に接触することを防止している。櫛歯スリーブ９の前後方向における両端には、バッフル板２７が設けられている。
【００２３】
本実施の形態による発熱部は、２００度程度の高温を生成して、上櫛歯３と下櫛歯４とにその熱を伝達する。発熱部は、発熱領域２３を有する発熱板２２と、当該発熱板２２を固定する発熱板固定部２１とを含んでいる。発熱板２２の接続部２８は、プリント基板１５に接続されている。発熱領域２３は、上櫛歯３と熱的に接続している
【００２４】
図２に示されるようにハンドル１は、フロントカバー１２と、リアカバー１３と、導線部１４とを備えている。ハンドル１と、フロントカバー１２と、リアカバー１３と、導線部１４とは、固定リング２０によって固定される。
【００２５】
フロントカバー１２にはプリント基板１５が設けられており、発光部１６及び操作キー１７が固定されている。リアカバー１３には、発光部１６及び操作キー１７と対応する位置に導光部１８及び操作キー開口部１９とが設けられている。フロントカバー１２は、滑り止めゴム部２４と、当該滑り止めゴム部２４の上から装着されるフロント化粧カバー２５を更に備えている。
【００２６】
リアカバー１３は、リア化粧カバー２６を備えている。リアカ化粧カバー２６には、発光部１６及び操作キー１７と対応する位置に開口部がそれぞれ設けられている。
【００２７】
以上説明したように、ヘアアイロンは、２つの加熱板によって毛髪を挟み込みながら（プレスしながら）毛髪を直毛にしており、過度な力が加わることから毛髪への負担も大きいものであった。しかしながら、本発明によれば、上述した波形状（Ｓ字形状）の隙間に毛髪を通しつつ熱を加える事によって毛髪に過度な力が加わることを防ぎつつ効果的に熱を加える事が可能となる。
【産業上の利用可能性】
【００２８】
本考案はヘアケア分野に適用する。
【符号の説明】
【００２９】
１    ハンドル
２    櫛歯部
３    上櫛歯
４    下櫛歯
５    上加熱部
６    下加熱部
９    櫛歯スリーブ
１０    上固定プレート
１１    下固定プレート
１２    フロントカバー
１３    リアカバー
１４    動線部
１５    プリント基板
１６    発光部
１７    操作キー
１８    導光部
１９    操作キー開口部
２０    固定リング
２１    発熱板固定部
２２    発熱板
２４    滑り止めゴム部
２５    フロント化粧カバー
２６    リア化粧カバー
２７    バッフル板
２８    接続部
【図２】
0003205811.tif 000003
【図３】
0003205811.tif 000004
【図１】
0003205811.tif 000005
【図４】
0003205811.tif 000006
【図５】
0003205811.tif 000007
【図６】
0003205811.tif 000008
【図７】
0003205811.tif 000009
【手続補正書】
【提出日】平成28年6月13日(2016.6.13)
【手続補正２】
【補正対象書類名】実用新案登録請求の範囲
【補正対象項目名】全文
【補正方法】変更
【補正の内容】
【実用新案登録請求の範囲】
【請求項１】
ハンドルと櫛歯部とを含む電気ヘアアイロンであって、  前記櫛歯部には、発熱部と、前記櫛歯部から第１方向に伸びる櫛歯とが設けられており、  前記櫛歯は、前記第１方向に沿って見た場合に、波形状の部位を有していることを特徴とする、電気ヘアアイロン。
【請求項２】
請求項１に記載の電気ヘアアイロンであって、  前記櫛歯は、上櫛歯と、下櫛歯と、当該上櫛歯及び当該下櫛歯を部分的に覆う櫛歯スリーブを備えており、  前記櫛歯スリーブには火傷防止部が設けられている、電気ヘアアイロン。
【請求項３】
請求項２に記載の電気ヘアアイロンであって、  前記櫛歯スリーブの前後方向における両端にバッフル板が設けられていることを特徴とする、電気ヘアアイロン。
【請求項４】
請求項２又は請求項３に記載の電気ヘアアイロンであって、 前記上櫛歯と前記下櫛歯のそれぞれは、その横断面において、歯底から歯先にかけてその面積が次第に減少することを特徴とする、電気ヘアアイロン。
【請求項５】
請求項２乃至請求項４のいずれかに記載の電気ヘアアイロンであって、  前記上櫛歯は、上固定プレートと当該上固定プレートから伸びる複数の上加熱部を有しており、  前記下櫛歯は、下固定プレートと当該下固定プレートから伸びる複数の下加熱部を有しており、  前記下固定プレートの隣り合う下加熱部間には複数の貫通穴が形成されており、  前記上加熱部が前記貫通穴に挿入されると前記上加熱部と前記下加熱部とが等間隔で交互に配列することを特徴とする、電気ヘアアイロン。
【請求項６】
請求項５に記載の電気ヘアアイロンであって、 前記上櫛歯と前記下櫛歯とを重ね合わせた状態において、隣り合う前記上加熱部と前記下加熱部との間隔は、０．２５ｍｍ〜１．５ｍｍであることを特徴とする、電気ヘアアイロン。
【請求項７】
請求項２乃至請求項６のいずれかに記載の電気ヘアアイロンであって、  前記ハンドルは、フロントカバーと、リアカバーと、導線部とを備えており、  前記フロントカバーにはプリント基板が設けられており、発光部及び操作キーが固定されており、  前記リアカバーには、前記発光部及び前記操作キーと対応する位置に導光部及び操作キー開口部とが設けられており、  前記ハンドルと、前記フロントカバーと、前記リアカバーと、前記導線部とは、固定リングによって固定されることを特徴とする、電気ヘアアイロン。
【請求項８】
請求項７に記載の電気ヘアアイロンであって、  前記発熱部は、発熱領域を有する発熱板と、当該発熱板を固定する発熱板固定部とを含み、  前記発熱板の接続部は、前記プリント基板に接続されており、  前記発熱領域は、前記上櫛歯と接していることを特徴とする、電気ヘアアイロン。
【請求項９】
請求項７又は請求項８に記載の電気ヘアアイロンであって、  前記フロントカバーは、滑り止めゴム部と、当該滑り止めゴム部の上から装着されるフロント化粧カバーを更に備えていることを特徴とする、電気ヘアアイロン。
【請求項１０】
請求項７乃至請求項９のいずれかに記載の電気ヘアアイロンであって、  前記リアカバーは、リア化粧カバーを備えており、  前記リア化粧カバーには、前記発光部及び前記操作キーと対応する位置に開口部がそれぞれ設けられていることを特徴とする、電気ヘアアイロン。
【手続補正３】
【補正対象書類名】明細書
【補正対象項目名】０００７
【補正方法】変更
【補正の内容】
【０００７】  本考案によれば、第２の電気ヘアアイロンとして、第１に記載の電気ヘアアイロンであって、  前記櫛歯は、上櫛歯と、下櫛歯と、当該上櫛歯及び当該下櫛歯を部分的に覆う櫛歯スリーブを備えており、  前記櫛歯スリーブには火傷防止部が設けられている、電気ヘアアイロンが得られる。
【手続補正４】
【補正対象書類名】明細書
【補正対象項目名】０００８
【補正方法】変更
【補正の内容】
【０００８】  本考案によれば、第３の電気ヘアアイロンとして、第２に記載の電気ヘアアイロンであって、  前記櫛歯スリーブの前後方向における両端にバッフル板が設けられていることを特徴とする、電気ヘアアイロンが得られる。
【手続補正５】
【補正対象書類名】明細書
【補正対象項目名】０００９
【補正方法】変更
【補正の内容】
【０００９】  本考案によれば、第４の電気ヘアアイロンとして、第２又は第３に記載の電気ヘアアイロンであって、  前記上櫛歯と前記下櫛歯のそれぞれは、その横断面において、歯底から歯先にかけてその面積が次第に減少することを特徴とする、電気ヘアアイロンが得られる。
【手続補正６】
【補正対象書類名】明細書
【補正対象項目名】００１０
【補正方法】変更
【補正の内容】
【００１０】  本考案によれば、第５の電気ヘアアイロンとして、第２乃至第４のいずれかに記載の電気ヘアアイロンであって、  前記上櫛歯は、上固定プレートと当該上固定プレートから伸びる複数の上加熱部を有しており、  前記下櫛歯は、下固定プレートと当該下固定プレートから伸びる複数の下加熱部を有しており、  前記下固定プレートの隣り合う下加熱部間には複数の貫通穴が形成されており、  前記上加熱部が前記貫通穴に挿入されると前記上加熱部と前記下加熱部とが等間隔で交互に配列することを特徴とする、電気ヘアアイロンが得られる。
【手続補正７】
【補正対象書類名】明細書
【補正対象項目名】００１１
【補正方法】変更
【補正の内容】
【００１１】  本考案によれば、第６の電気ヘアアイロンとして、第５に記載の電気ヘアアイロンであって、  前記上櫛歯と前記下櫛歯とを重ね合わせた状態において、隣り合う前記上加熱部と前記下加熱部との間隔は、０．２５ｍｍ〜１．５ｍｍであることを特徴とする、電気ヘアアイロンが得られる。
【手続補正８】
【補正対象書類名】明細書
【補正対象項目名】００１２
【補正方法】変更
【補正の内容】
【００１２】  本考案によれば、第７の電気ヘアアイロンとして、第２乃至第６のいずれかに記載の電気ヘアアイロンであって、  前記ハンドルは、フロントカバーと、リアカバーと、導線部とを備えており、  前記フロントカバーにはプリント基板が設けられており、発光部及び操作キーが固定されており、  前記リアカバーには、前記発光部及び前記操作キーと対応する位置に導光部及び操作キー開口部とが設けられており、  前記ハンドルと、前記フロントカバーと、前記リアカバーと、前記導線部とは、固定リングによって固定されることを特徴とする、電気ヘアアイロンが得られる。
【手続補正９】
【補正対象書類名】明細書
【補正対象項目名】００１３
【補正方法】変更
【補正の内容】
【００１３】    本考案によれば、第８の電気ヘアアイロンとして、第７に記載の電気ヘアアイロンであって、  前記発熱部は、発熱領域を有する発熱板と、当該発熱板を固定する発熱板固定部とを含み、  前記発熱板の接続部は、前記プリント基板に接続されており、  前記発熱領域は、前記上櫛歯と接していることを特徴とする、電気ヘアアイロンが得られる。
【手続補正１０】
【補正対象書類名】明細書
【補正対象項目名】００１４
【補正方法】変更
【補正の内容】
【００１４】    本考案によれば、第９の電気ヘアアイロンとして、第７又は第８に記載の電気ヘアアイロンであって、  前記フロントカバーは、滑り止めゴム部と、当該滑り止めゴム部の上から装着されるフロント化粧カバーを更に備えていることを特徴とする、電気ヘアアイロンが得られる。
【手続補正１１】
【補正対象書類名】明細書
【補正対象項目名】００１５
【補正方法】変更
【補正の内容】
【００１５】    本考案によれば、第１０の電気ヘアアイロンとして、第７乃至第９のいずれかに記載の電気ヘアアイロンであって、  前記リアカバーは、リア化粧カバーを備えており、  前記リア化粧カバーには、前記発光部及び前記操作キーと対応する位置に開口部がそれぞれ設けられていることを特徴とする、電気ヘアアイロンが得られる。
【手続補正１２】
【補正対象書類名】明細書
【補正対象項目名】００２１
【補正方法】変更
【補正の内容】
【００２１】  図４に示されるように、上加熱部５と下加熱部６とは、第１方向に沿って見た場合に波形状を有している。より詳しくは、上加熱部５（又は下加熱部６）の夫々は、前記第１方向と直行する方向（図４の左右方向）において、隣接する上加熱部５（又は下加熱部６）の互いに対応する側面に凹凸を有している。かかる構造により、上加熱部５と下加熱部６とが重なった状態においては、上加熱部５と下加熱部６との間には、第１方向から見た場合に波形状（Ｓ字形状）の隙間（毛髪が通るスペース）ができることとなる。本実施の形態による当該隙間は、０．２５〜１．５ｍｍである。このような隙間にすることによって毛髪に最適な引張力を提供することができ、張髪の効果と効率を高めることができる。
【手続補正１３】
【補正対象書類名】明細書
【補正対象項目名】００２６
【補正方法】変更
【補正の内容】
【００２６】  リアカバー１３は、リア化粧カバー２６を備えている。リア化粧カバー２６には、発光部１６及び操作キー１７と対応する位置に開口部がそれぞれ設けられている。
【手続補正１４】
【補正対象書類名】明細書
【補正対象項目名】００２７
【補正方法】変更
【補正の内容】
【００２７】  以上説明したように、従来のヘアアイロンは、２つの加熱板によって毛髪を（プレスしながら）挟み込んでいることから、毛髪に対して過度な力が加わり毛髪への負担も大きいものであった。しかしながら、本発明によれば、上述した波形状（Ｓ字形状）の隙間に毛髪を通しつつ熱を加える事によって毛髪に過度な力が加わることを防ぎつつ効果的に熱を加える事が可能となる。